(57)【要約】      （修正有）【課題】容易に分解することができる単純な構造を有する弁調整装置およびリリーフ弁を提供する。【解決手段】弁、特に圧力制御弁のための調整装置８であって、弁の弁胴に作用する制御ばねが支持された軸方向に移動可能な制御部材を含む調整装置を開示する。制御部材は、制御ばね６のバイアスを調整するためのハンドルに接続された止め１８とともに回転するように係合している。放射状に突出したロック部材７２が軸方向で凹部９５，９６に挿入され、止めによってハンドルを軸方向でロックするように相対的な移動によって軸方向ロック位置に配置されるように、回転ハンドルが止めと接続される。【選択図】図２
2006336860.tif 000002
【特許請求の範囲】
【請求項１】
弁、特に圧力制御弁のための調整装置であって、
弁胴に作用する制御ばね（６）が支持され、前記制御ばねのバイアスを調整するためのハンドル（１０、１２、２０）に固定的に接続されているか、固定的に接続することができる止め（１８）とともに回転するように係合した軸方向に移動可能な制御部材（３０）を含み、
前記止め（１８）または前記ハンドル（１２）は、放射状に突出するロック部材（７２）を有し、
前記ロック部材（７２）は、
ロック部材（７２）を挿入可能な他の構成要素の凹部（７８、８６）に結合され、
相対的な移動によって前記凹部（７８、８６）の２つのショルダー（８９、９０）間に位置する軸方向ロック位置に配置可能であることを特徴とする調整装置。
【請求項２】
請求項１において、
前記ハンドルは、スリーブ（１２）を含み、
前記スリーブ（１２）は、前記スリーブを部分的に取り囲む回転ノブ（１０）に固定的に接続され、
前記止め（１８）に固定的に接続可能な接続部材（１４、２０）が、少なくとも部分的に前記スリーブ（１２）に固定的に収容されている調整装置。
【請求項３】
請求項１において、
前記凹部（７８、８６）または前記ロック部材（７２）は、偏心的に形成されている調整装置。
【請求項４】
請求項３において、
前記凹部（７８、８６）は、弁軸に対して偏心的に設計され、前記スリーブ（１２）の表面部（８４）に開口し、前記表面部（８４）から離れた位置で前記ショルダー（８９、９０）を形成する小穴（８６）を経由して放射状に延びている調整装置。
【請求項５】
請求項４において、
前記ロック部材は、ロックカラー（７２）であって、
前記ロックカラー（７２）の外径（ｄ）は、前記凹部（７８）の開口直径（Ｄ）よりもやや小さく、
前記ロックカラー（７２）は、前記凹部（７８）に挿入することができるとともに、相対的な移動後に前記小穴（８６）の前記ショルダー（８９、９０）間に部分的に配置される調整装置。
【請求項６】
前記請求項のいずれか１項において、
前記相対的な移動は、放射方向の移動である調整装置。
【請求項７】
請求項６において、
前記軸方向のロック位置において、前記止め（１８）および前記スリーブ（１２）は、前記接続部材（１４、２０）の収容室を一体的に形成する調整装置。
【請求項８】
請求項５に関連する前記請求項のいずれか１項において、
前記ロックカラー（７２）の一方の面は、環状溝（６６）によって形成されている調整装置。
【請求項９】
請求項８において、
前記環状溝（６６）では、前記止め（５８）を軸方向で固定するためのハウジング部（５２）にワッシャー（９８）の周囲部分が支持されている調整装置。
【請求項１０】
請求項２に関連する前記請求項のいずれか１項において、
前記接続部材は、ロックシリンダ（２０）であって、
前記ロックシリンダ（２０）のロックボルト（２２）は、
前記止め（１８）のロック穴（６４）に係合し、
閉じられた状態では、前記止め（１８）および前記ロックシリンダ（２０）を相対的に回転させる調整装置。
【請求項１１】
請求項２に関連する前記請求項のいずれか１項において、
前記スリーブ（１２）を前記ロック部材（１４、２０）に固定的に接続するための止めねじ（１００）と、
前記回転ノブ（１０）を前記スリーブ（１２）に固定的に接続するためのセルフロックボルト（１０２）と、
を含む調整装置。
【請求項１２】
請求項２に関連する前記請求項のいずれか１項において、
前記ロック部材は、接続ボルト（１４）であって、
前記接続ボルト（１４）は、軸方向ピン（１６）によって前記止め（１８）に固定的に接続されている調整装置。
【請求項１３】
請求項２〜１２のいずれか１項において、
前記止め（１８）は、前記制御ばね（６）のばねカラー（３２）に作用するスピンドル（３０）と固定的に係合した軸方向突起（２６）を含む調整装置。
【請求項１４】
前記請求項のいずれか１項に記載の調整装置を含む直接制御のリリーフ弁。
【発明の詳細な説明】
【技術分野】
【０００１】
本発明は、請求項１の前文に係る弁、特に圧力制御弁のための調整装置およびこのような調整装置を含むリリーフ弁に関する。
【背景技術】
【０００２】
この種の調整装置は、例えば、ドイツ特許出願公開第１９９  ３５  ４７３  Ａ１号または本願出願人のデータシートＲＤ  ２６  ５７６／１１．９９から公知である。これらの文献は、図１に係る直接制御のリリーフ弁を開示している。このリリーフ弁１は、例えば、機械工具の流体圧クランプ装置の一定の作動圧力を供給したり、作動圧力を監視したりするために使用することができる。以下、本発明の理解に必要なリリーフ弁１の部材と機能のみを説明し、詳細な説明を簡略化するために上述のデータシートとドイツ特許出願公開第１９９  ３５  ４７３  Ａ１号を参照する。公知のリリーフ弁１は、三方向切替弁であり、流入口Ｐ（図示せず）と連通する流入室と、吐出口Ｔと連通する吐出室と、流体圧クランプ装置に圧力流体が供給される制御口Ａと連通する制御室とを有する。リリーフ弁１はハウジング２を実質的に含み、ハウジング２内には、制御ばね６によって開位置にバイアスされた制御ピストン４が配置されており、制御ピストン４が開位置にある場合には、流入口Ｐと連通する流入室が制御口Ａと連通する制御室と連通し、吐出口Ｔは流入口Ｐと制御口Ａから遮断される。制御ばね６のバイアスは調整装置８によって変化させることができる。図１では、２種類の調整装置が示されている。調整装置８において、長手軸の上方にはロックできない調整装置が示されており、長手軸の下方には調整装置をロックできる実施形態が示されている。このような設計は、安全上の理由から圧力弁の調整が誤って変化させれないようにしたり、所定のクランプ圧力が必要とされる製造プロセスを最適化する場合に必要となる。
【０００３】
図示する調整装置８は、スリーブ１２に固定的に接続された回転ノブ１０によって操作される。ロックできない調整装置では、スリーブ１２は軸方向ピン１６を介して止め（ｃａｔｃｈ）１８に接続された接続ボルト１４を（軸の上方で）取り囲んでいる。ロック可能な調整装置（図１の弁軸の下方）では、接続ボルト１４の代わりにロックシリンダ２０が設けられ、ロックシリンダ２０のロックボルト２２はキー２４を使用して放射方向に延ばすことができ、ロックボルト２２は止め１８の凹部に入り込んで止め１８をロックシリンダ２０に固定的に接続する。調整装置８をロックする場合、キー２４を取り除くとロックボルト２２が放射方向に移動し、止め１８とロックシリンダ２０との固定的な接続が無効となる。その後、回転ノブ１０、スリーブ１２、ロックシリンダ２０は自由に回転することができるが、止めは回転しない。止めは、端部に多角形部２８が形成された軸方向突起２６を含む。軸方向突起２６はスピンドル３０の受け部に入り込み、制御ばね６を支持するばねカラー３２を軸方向に調整することができる。スピンドル３０の受け部は、軸方向突起２６がスピンドル３０に固定的に接続されるように、多角形部２８に従って設計されている。図示する実施形態では、スピンドル３０はばねカラー３２と一体的に形成されている。制御ばね６のバイアスは、ばねカラー３２を左（図１）に移動させることによって増加させることができ、制御口Ａで制御圧力を増加させることができる。ばねの最小バイアスは、ばねカラー３２とスピンドル３０の図１の右側への調整を制限する停止ピン３４によって制限されている。
【０００４】
図示する解決手段では、スリーブ１２と止め１８の軸方向のロックは止め１８の凹部に設けられた複数のボール２５を介して行われ、ボール２５は、止め１８を部分的に取り囲むスリーブ１２がスライドして被せられた時に内向きに押し付けられ、次に接続ボルト１４とロックシリンダ２０を挿入した時にスリーブ１２の内側環状溝に向かって外向きに押し付けられる。この場合には放射状に挿入されたねじ２３を介して接続ボルト１４およびロックシリンダ２０とスリーブ１２とが軸方向にロックされると、スリーブ１２、接続ボルト１４／ロックシリンダ２０、止め１８は軸方向において取り除くことができなくなる。このようなロックできる調整装置の基本原理はドイツ特許出願公開第１９８  ３７  １９４  Ａ１号に記載されている。
【０００５】
監視対象の圧力（二次圧力）は、圧力ばね４０がマイクロスイッチ４２の方向に作用する制御ピストン４内で支持された圧力監視ピストン３８を含む圧力監視手段３６によって監視される。圧力ばね４０は支持カラー４４上に支持されており、支持カラー４４の軸方向の位置は、支持カラー４４と一体的に形成され、支持カラー４４と反対側の端部がばねカラー３２とスピンドル３０に挿入された圧力監視スピンドル４６によって変化させることができる。図示する実施形態では、スピンドル３０内に位置する端部には六角穴４８が設けられており、ばねカラー３２またはスピンドル３０とねじ係合する圧力監視スピンドル４６の軸方向位置を六角穴４８によって調整することができる。
【０００６】
図示するホーム位置ではリリーフ弁１が開かれ、圧力流体が流入口Ｐから制御口Ａに流れる。制御口Ａの圧力は制御ピストン４に印加され、制御ピストン４を制御ばね６の力に抗して図１の右側に移動させる。クランプ圧力が増加すると、制御口Ａの圧力も増加し、この圧力によって制御ばね６の力に抗する力が制御ピストン４に印加され、この力は圧力の増加とともに増加し、最終的には制御ばねの力と等しくなる。この時、制御ピストン４は右に移動し、制御口Ａは流入口Ｂから切り離される。制御口Ａの圧力が何らかの理由でさらに増加すると、制御ピストン４はさらに右に移動し、制御口Ａと吐出口Ｔとの間の流れ断面が開かれて圧力流体が流れ出し、制御口Ａの圧力がリリーフされる。すなわち、リリーフ弁１は圧力制限機能も有する。概して、流入口Ｐまたは吐出口Ｔに向かって制御口Ａを開くことによって、一定のクランプ圧力が維持される。圧力監視手段は、例えば、監視対象圧力（二次圧力）が制御口Ａに印加される圧力よりも１〜５バール低いときに反応する。二次圧力は、圧力ばね４０の力に抗して同様に右側（図１）に向かって圧力監視ピストン３８に印加され、圧力ばね４０のバイアスは圧力監視スピンドル４６によって調整することができる。監視対象の二次圧力が制御口Ａに印加される圧力よりも低い場合には、マイクロスイッチが圧力ばね４０の力によってマイクロスイッチに作用する圧力監視ピストン３８によって切り替えられる。二次圧力があらかじめ調整された閾値（制御圧力よりも１〜５バール低い圧力）に上昇すると、圧力監視ピストン３８は圧力ばね４０の力に抗して圧力監視ピストン３８に作用する二次圧力によって右に移動し、マイクロスイッチ４２は切り替えられて、例えばチャックをアクティブに切り替える信号を送信する。装置内で閾値に達しない場合や、二次圧力が調整された閾値よりも低くなった場合には、チャックは自動的に切り替えられる。必要とされる最小クランプ圧力（マイクロスイッチ４２の切替）と制御口Ａの調整された制御圧力との間のスイッチング距離は、例えば装置の組立時に調整され、最初の調整後は制御圧力が変化しても維持される。しかし、弁が取り付けられた装置において上述したスイッチング距離を変化させることが必要となる場合もある。この場合、中空の止め１８を介して圧力監視スピンドル４６に到達できるように回転ノブ１０、スリーブ１２、ロックシリンダ２０、接続ボルト１４を取り除かなければならない。
【０００７】
上述したリリーフ弁の欠点は、軸方向の固定に使用されるボールのために、本発明に係る調整装置の製造と組立に比較的コストがかかることである。顧客にとってより重要な別の欠点は、スイッチング距離を変化させるために調整装置８を分解すると、ボール２５が極めて容易に止め１８から落下するため、非常に慎重と時間をかけて分解が行われなければならないことである。
【発明の開示】
【発明が解決しようとする課題】
【０００８】
本発明の目的は、容易に分解することができる単純な構造を有する弁調整装置およびリリーフ弁を提供することにある。
【課題を解決するための手段】
【０００９】
上記目的は、請求項１の特徴を含む調整装置および請求項１４の特徴を含むリリーフ弁によって達成される。
【００１０】
本発明によれば、挿入されたボールによるコストのかかる軸方向のロックを行う代わりに、制御ばねのバイアスを調整するための止めまたはハンドルを、他の構成要素（ハンドルまたは止め）の凹部に関連付けられた放射方向に吐出するロック部材を含むように設計する。放射状に突出するロック部材は凹部に挿入することができ、相対的な移動によって、突出するロック部材が軸方向ロックのために凹部の２つのショルダー間に配置される軸方向ロック位置に配置することができる。本発明に係る解決手段では、ロックには一方向への挿入と軸方向ロック位置への移動からなる２つの移動のみが必要であり、ボールやクランプ部材などの構成要素は省略することができる。したがって、調整装置を非常に低コストで製造でき、従来技術の調整装置よりも非常に容易に組立・分解することができる。
【００１１】
特に好ましい実施形態では、ハンドルがスリーブを含むように設計され、スリーブがスリーブを部分的に取り囲む回転ノブに固定的に接続され、ハンドルの回転運動を止めに伝えるように止めと係合する接続部材がスリーブに固定的に収容されている。
【００１２】
好ましくは、凹部またはロック部材は偏心的である。特に単純な変形では、ロック部材が挿入される凹部が弁軸に対して偏心的に設計され、ロック部材が相対的な移動後に挿入される偏心的に配置された小穴によって放射方向に延びている。
【００１３】
ロック部材は、好ましくはロックカラーとして設計され、ロックカラーの外径は凹部の開口直径よりもやや小さく、ロックカラーは凹部に挿入することができるとともに、相対的な移動後に小穴のショルダー間に少なくとも部分的に配置される。
【００１４】
好ましい実施形態では、スリーブを止めに対して軸がずれた状態で軸方向に配置し、ロックカラーの少なくとも一部が溝に挿入され、軸方向で固定されるまで放射方向に移動させる。この放射方向の移動によって、止めとスリーブは同軸に配置される。
【００１５】
この軸ロック位置では、止めとスリーブは、ロックできる調整装置ではロックシリンダ、より単純な装置では接続ボルトであり、スリーブと止めを放射方向で固定するロック部材のための収容室を好ましくは形成する。
【００１６】
好ましい実施形態では、ロック部材、スリーブ、止めは、止めの溝および弁ハウジングの対応するロック溝に挿入されたワッシャーによって弁ハウジングに取り付けられる。
【００１７】
好ましくは、スリーブとロックシリンダ間の捩れに対する保護は、放射方向に挿入されたねじ、好ましくは止めねじによって行われる。回転ノブをスリーブに対する捩れから保護する別の放射方向ねじを止めねじのねじ穴に挿入することによって、調整装置の構造は特に単純になる。
【００１８】
ロック部材がロックシリンダである場合には、止めはロックシリンダが開いた（キーを挿入した）状態でロックシリンダのロックボルトによって固定される。ロック部材が単なる接続ボルトである場合には、回転運動は止めの凹部に挿入された軸方向ボルトを介して伝達される。
【００１９】
本発明に係る調整装置は、好ましい実施形態において直接制御リリーフ弁に挿入される。
【００２０】
本発明のその他の利点はさらなる従属請求項の主題である。
【発明を実施するための最良の形態】
【００２１】
以下、本発明の好適な実施形態を、概略図面を参照して説明する。
【００２２】
図２は、図１を参照して説明したボール型解決手段の代わりにリリーフ弁１の制御ばね６のバイアスを変化させるために挿入することができる調整装置８の縦断面を示す。制御ばね６は、図１においてばねカラー３２の雄ねじ山が噛み合う雌ねじ山を有するチューブ５０に挿入されている。また、エンドピース５２がチューブ５０にねじ止めされ、エンドピース５２の雄ねじ山にねじ止めされ、表面がチューブ５０の隣接する表面に隣接するロックナット５４によって固定されている。エンドピースは、中空の止め１８およびスピンドル３０の端部が挿入される貫通穴を含むように設計されており、本実施形態ではスピンドル３０はばねカラー３２と一体的に形成され、六角穴４８（図２は図示せず）を含む圧力監視スピンドル４６の端部がスピンドル３０内に配置されている。図２における右側の端部の部分では、スピンドル３０の内周面は、止め１８の軸方向突起２６で多角形部２８と固定的に係合した多角形穴５６として設計されている。
【００２３】
図３に止め１８を示す。止めは、軸方向突起２６よりも放射状に大きくなっており、軸方向突起２６の内部穴６２が開口する収容室６０を取り囲む本体５８を有する。収容室６０を取り囲む周壁には放射方向に延びるロック穴６４が形成され、ロック穴６４には制御ばねのバイアスを調整するためにロックシリンダ２０のロックボルト２２（図２）を挿入することができる。
【００２４】
本体５８の外周には環状溝６６が設けられ、図３の右側の環状溝６６の環状ショルダー６８と本体５８の環状面７０が放射状に突出するロックカラー７２を取り囲んでいる。ロックカラー７２と溝６６との間の移行部分には放射状穴７４が設けられている。
【００２５】
軸方向に平行に延びる底部穴７６が本体５８の底部に形成されている。単純な調整装置８の場合には、接続ボルト１４を止め１８に固定する軸方向ピン１６（図１を参照）を底部穴に挿入する。図２に示す変形では、底部穴７６は機能を有していない。
【００２６】
図２によれば、止め１８はスリーブ１２と軸方向に接続されている。上述した従来技術では、軸方向の接続は挿入されたボールによって行われる。図示する実施形態では、スリーブ１２と止め１８を接続するために偏心設計を採用している。このため、図４に示すスリーブ１２には偏心凹部７８が設けられ、偏心凹部７８の軸８２は中央スリーブ軸８０から偏心分ｅオフセットされている。偏心凹部７８は、図４の左側のスリーブ１２の表面８４から離れた位置で偏心小穴８６によって放射方向に延びており、２つのショルダー８９、９０が形成されている。右方向（図４）において小穴８６に接続されたスリーブの取付孔８８は、スリーブの中心軸８０と同軸に設計されている。詳細に後述するロック部材が挿入される放射方向に延びるねじ穴９２が取付孔８８に開口している。図４で右側に示されるスリーブ１２の端面では、図２の取り付けられたスリーブ１２とともに調整装置８の前部で突出し、スリーブ１２を所定の回転位置に調整するために設けられた外側六角形部９４が形成されている。図２に示す組立図によれば、止め１８の本体５８はエンドピース５２の前面凹部９５に部分的に挿入されている。エンドピース５２には、急峻なショルダーとより平らなショルダーを含む環状凹部９６が形成され、別の部分が止め１８の外周で溝６６に挿入されたワッシャー（ｃｉｒｃｌｉｐ）９８が環状凹部９６に挿入されており、止め１８はエンドピース５２に対して軸方向に固定されている。止め１８は、本体５８の表面によってエンドピース５２の前面凹部９５の表面部に隣接している。
【００２７】
スリーブ１２の偏心凹部７８の直径Ｄは、止め１８が偏心凹部７８内を小穴８６まで移動することができるように止め１８のロックカラー７２の外径ｄよりも多少大きくなるように選択され、ロックカラー７２の幅Ｂは、スリーブ１２を放射状に移動させる時にロックカラー７２を２つのショルダー８９、９０間に部分的に挿入することができるように２つのショルダー８９、９０の距離よりもやや小さくなっている。
【００２８】
図２に示す装置を組み立てる場合には、止め１８をエンドピース５２に挿入し、スピンドル３０の多角形穴５６は止め１８の軸方向突起２６で多角形部２８に固定的に係合する。次に、止め１８をワッシャー９８の上方で軸方向に固定し、スリーブ１２をスライドさせて取り付ける。スリーブ１２は、当初は止めの軸に対して偏心分ｅオフセットされている。接続カラー７２を、偏心凹部７８を通過させてスリーブ１２に挿入し、小穴８６が形成された部分に到達させる。この軸方向の端部位置には、止め１８の環状面７０がショルダー９０で止まった時に到達する。次の工程では、スリーブの中心軸８０が弁軸と同軸に配置されるまでスリーブを放射方向に偏心分ｅ移動させる。図２によれば、次にロックカラー７２の周囲部分が２つのショルダー８９、９０間に位置し、スリーブ１２と止め１８が軸方向で接続される。この組立位置では、止め１８の収容室６０と受け穴８８が補い合ってロックシリンダ２０が挿入される共通の台座を形成する。そして、ロックシリンダ２０は軸方向のロックを守るロック部材として機能する。ロックシリンダ２０の挿入深さと回転位置は、ロックボルト２２がロック穴６４と整列し、キー２４をセットした時にロック穴６４に挿入されるように選択する。ロックシリンダ２０は、ねじ穴９２に挿入され、ロックシリンダ２０の外周に設けられた対応する凹部に挿入される止めねじ１００によって固定される。この取付位置では、スリーブ１２の外周とエンドピース５２の外周は同じ高さで（面一に）延びている。次に、回転ノブ１０をエンドピース５２にスライドさせて取り付け、同様にねじ穴９２に挿入されたセルフロックボルト１０２によってスリーブ１２に固定する。
【００２９】
ロックボルト２２を延ばすと（図２）、回転ノブ１０の回転運動がスリーブ１２、ロックシリンダ２０、ロックボルト２２、止め１８を介してスピンドル３０に伝わり、制御ばねのバイアスが適切に調整される。この調整を容易にするために、エンドピース５２の外周に回転ノブ１０の回転位置を示す目盛りを設けることができる。キー２４を取り除くと、ロックボルト２２がロック穴６４から引き出され、回転ノブ１０とスリーブ１２はロックシリンダ２０とともに自由に回転することができ、この回転運動は止め１８に伝達されることはない。
【００３０】
上述した実施形態では、スリーブ１２は偏心凹部７８を含むように設計されている。逆に、ロックカラー７２が偏心で、凹部７８が中心であってもよい。原則として、ロックカラーをスリーブ１２に形成し、凹部７８、８６を止め１８に形成することもできる。
【００３１】
弁、特に圧力制御弁のための調整装置であって、弁の弁胴に作用する制御ばねが支持された軸方向に移動可能な制御部材を含む調整装置を開示する。制御部材は、制御ばねのバイアスを調整するためのハンドルに接続された止めとともに回転するように係合している。本発明によれば、放射状に突出したロック部材が軸方向で凹部に挿入され、止めによってハンドルを軸方向でロックするように相対的な移動によって軸方向ロック位置に配置されるように、回転ハンドルが止めと接続される。
【図面の簡単な説明】
【００３２】
【図１】リリーフ弁のための公知の調整装置を示す。
【図２】図１に係るリリーフ弁のための本発明に係る調整装置を示す。
【図３】図２の調整装置の止めの詳細図である。
【図４】図２の調整装置のスリーブの詳細図である。
【符号の説明】
【００３３】
１  リリーフ弁
２  ハウジング
４  制御ピストン
６  制御ばね
８  調整装置
１０  回転ノブ
１２  スリーブ
１４  接続ボルト
１６  軸方向ピン
１８  止め
２０  ロックシリンダ
２２  ロックボルト
２３  止めねじ
２４  キー
２５  ボール
２６  軸方向突起
２８  多角形
３０  スピンドル
３２  ばねカラー
３４  停止ピン
３６  圧力監視手段
３８  圧力監視ピストン
４０  圧力ばね
４２  マイクロスイッチ
４４  支持カラー
４６  圧力監視スピンドル
４８  六角穴
５０  チューブ
５２  エンドピース
５４  ロックナット
５６  多角形穴
５８  本体
６０  収容室
６２  雌穴
６４  ロック穴
６６  環状溝
６８  環状ショルダー
７０  環状面
７２  ロックカラー
７４  放射状穴
７６  底部穴
７８  偏心凹部
８０  スリーブ中央軸
８２  軸
８４  表面
８６  小穴
８８  取付穴
８９  ショルダー
９０  ショルダー
９２  ねじ穴
９４  外側六角形
９５  前面凹部
９６  環状凹部
９８  ワッシャー
１００  止めねじ
１０２  セルフロックボルト
【図１】
2006336860.tif 000003
【図２】
2006336860.tif 000004
【図３】
2006336860.tif 000005
【図４】
2006336860.tif 000006
【外国語明細書】
2006336860.tif 000007
2006336860.tif 000008
2006336860.tif 000009
2006336860.tif 000010
2006336860.tif 000011
2006336860.tif 000012
2006336860.tif 000013
2006336860.tif 000014
2006336860.tif 000015
2006336860.tif 000016
2006336860.tif 000017
2006336860.tif 000018
2006336860.tif 000019
2006336860.tif 000020
2006336860.tif 000021
2006336860.tif 000022
2006336860.tif 000023
2006336860.tif 000024
2006336860.tif 000025
2006336860.tif 000026
2006336860.tif 000027
2006336860.tif 000028
2006336860.tif 000029
2006336860.tif 000030